(57)【特許請求の範囲】
【請求項１】
印刷済みの用紙が積載される一以上のメールボックスと、
給紙された前記用紙に対して所定の用紙後処理を行う後処理部と、
前記一以上のメールボックスのそれぞれに積載されている前記用紙を前記後処理部へ給紙可能な給紙部と、
前記一以上のメールボックスのうち、少なくとも一つのメールボックスの選択を受け付ける選択受付部と、
を備え、
前記給紙部は、前記選択受付部により受け付けられた各メールボックスである各受付メールボックスに積載されている前記用紙を給紙する後処理装置。
【請求項２】
直近の印刷ジョブの実行によって各メールボックスに排出された前記用紙の総枚数を記憶する第一記憶部を更に備え、
前記給紙部は、前記各受付メールボックスに積載されている前記用紙のうち、前記第一記憶部に記憶されている当該各受付メールボックスに対応する前記総枚数の前記用紙を給紙する請求項１に記載の後処理装置。
【請求項３】
直近の印刷ジョブの実行によって各メールボックスに排出された前記用紙の部数及び一部当たりの排出枚数を記憶する第二記憶部を更に備え、
前記給紙部は、前記各受付メールボックスに積載されている前記用紙のうち、前記第二記憶部に記憶されている各受付メールボックスに対応する前記一部当たりの排紙枚数の前記用紙を給紙する処理と、当該給紙した前記用紙に対する前記用紙後処理の終了まで次の給紙を待機する処理とを、前記第二記憶部に記憶されている当該各受付メールボックスに対応する前記部数と同じ回数繰り返す請求項１又は２に記載の後処理装置。
【請求項４】
前記各受付メールボックスから前記後処理部へ給紙する前記用紙の部数及び一部当たりの給紙枚数の入力を受け付ける給紙条件受付部を更に備え、
前記給紙部は、前記各受付メールボックスに積載されている前記用紙のうち、前記給紙条件受付部により受け付けられた各受付メールボックスに対応する前記一部当たりの給紙枚数の前記用紙を給紙する処理と、当該給紙した前記用紙に対する前記用紙後処理の終了まで次の給紙を待機する処理とを、前記給紙条件受付部により受け付けられた当該各受付メールボックスに対応する前記部数と同じ回数繰り返す請求項１から３の何れか一項に記載の後処理装置。
【請求項５】
前記各受付メールボックスから前記後処理部へ給紙された前記用紙に対して行う前記用紙後処理の入力を受け付ける後処理受付部を更に備え、
前記後処理部は、前記各受付メールボックスから給紙された前記用紙に対して、前記後処理受付部により受け付けられた当該各受付メールボックスに対応する前記用紙後処理を行う請求項１から４の何れか一項に記載の後処理装置。
【請求項６】
予め定められた上限枚数よりも多くの前記用紙が前記後処理部へ給紙される場合に、警告を報知する警告報知部を更に備える請求項１から５の何れか一項に記載の後処理装置。
【請求項７】
請求項１から６の何れか一項に記載の後処理装置と、
前記一以上のメールボックスの何れかに前記用紙を排出する印刷ジョブを実行するジョブ実行部と、
を備える画像形成装置。
【請求項８】
前記ジョブ実行部は、前記印刷ジョブを実行する場合、前記用紙を、一部ずつ且つページ順に排出する請求項７に記載の画像形成装置。
【発明の詳細な説明】
【技術分野】
【０００１】
本発明は、後処理装置及び画像形成装置に関し、特に、印刷済みの用紙に対して用紙後処理を行う技術に関する。
【背景技術】
【０００２】
従来から、下記特許文献１及び２等に記載のように、複数のメールボックス（排出トレイ）を備え、画像形成装置本体から搬送されてきた印刷済みの用紙を、用紙のサイズや用紙の余白領域のサイズ等に応じて各メールボックスに仕分けて排出する後処理装置（フィニッシャー、用紙仕分け装置）が知られている。
【０００３】
また、上記のような後処理装置に、排出前の印刷済み用紙にステープル処理やパンチ処理等の用紙後処理を行う機構を備えたものも知られている。また、ユーザーが持ち込んだ用紙束に対して、手動で用紙後処理を行える後処理装置も知られている。
【先行技術文献】
【特許文献】
【０００４】
【特許文献１】特開２００５−６２２６４号公報
【特許文献２】特開２０１０−８９８７９号公報
【発明の概要】
【発明が解決しようとする課題】
【０００５】
しかし、ユーザーは、印刷ジョブの実行前に用紙後処理を行う条件の入力を行わずに印刷ジョブを実行したために、印刷ジョブの実行後に、各メールボックスに積載された用紙に対して用紙後処理を行いたい場合がある。この場合、上記のような従来の後処理装置では、ユーザーは、各メールボックスに積載されている用紙を順次取り出して、当該取り出した用紙に対して手動で用紙後処理を行うことを繰り返す手間が必要であった。
【０００６】
本発明は、上記の問題を解決するためになされたものであり、メールボックスに積載されている印刷済みの用紙に対して用紙後処理を容易に行うことができる後処理装置及び画像形成装置を提供することを目的とする。
【課題を解決するための手段】
【０００７】
本発明による後処理装置は、印刷済みの用紙が積載される一以上のメールボックスと、給紙された前記用紙に対して所定の用紙後処理を行う後処理部と、前記一以上のメールボックスのそれぞれに積載されている前記用紙を前記後処理部へ給紙可能な給紙部と、前記一以上のメールボックスのうち、少なくとも一つのメールボックスの選択を受け付ける選択受付部と、を備え、前記給紙部は、前記選択受付部により受け付けられた各メールボックスである各受付メールボックスに積載されている前記用紙を給紙する。
【０００８】
本構成によれば、給紙部によって、メールボックスのそれぞれに積載されている印刷済みの用紙を後処理部へ給紙させ、後処理部によって、当該給紙された用紙に対して所定の用紙後処理を行わせることができる。これにより、メールボックスのそれぞれに積載されている印刷済みの用紙を順次取り出して、当該取り出した用紙に対して用紙後処理を手動で行う手間をユーザーにかけることなく、メールボックスのそれぞれに積載されている印刷済みの用紙に対して用紙後処理を容易に行うことができる。
【００１０】
本構成によれば、ユーザーは、用紙後処理を行いたい用紙が積載されているメールボックスを選択するという簡易な操作を行うだけで、当該選択されたメールボックスに積載されている用紙を後処理部へ給紙させ、当該用紙に対して用紙後処理を行わせることができる。
【００１１】
また、直近の印刷ジョブの実行によって各メールボックスに排出された前記用紙の総枚数を記憶する第一記憶部を更に備え、前記給紙部は、前記各受付メールボックスに積載されている前記用紙のうち、前記第一記憶部に記憶されている当該各受付メールボックスに対応する前記総枚数の前記用紙を給紙するようにしてもよい。
【００１２】
ユーザーは、印刷ジョブの実行後、次の印刷ジョブが実行されるまでの間に、実行した印刷ジョブによって排出された用紙に用紙後処理を行いたい場合がある。この場合、本構成によれば、ユーザーは、当該排出された用紙が積載されているメールボックスを選択するという簡易な操作を行うだけでよい。これにより、当該印刷ジョブによって当該選択されたメールボックスに排出された全ての用紙を後処理部に給紙させ、当該全ての用紙に対して用紙後処理を実行させることができる。
【００１３】
また、直近の印刷ジョブの実行によって各メールボックスに排出された前記用紙の部数及び一部当たりの排出枚数を記憶する第二記憶部を更に備え、前記給紙部は、前記各受付メールボックスに積載されている前記用紙のうち、前記第二記憶部に記憶されている各受付メールボックスに対応する前記一部当たりの排紙枚数の前記用紙を給紙する処理と、当該給紙した前記用紙に対する前記用紙後処理の終了まで次の給紙を待機する処理とを、前記第二記憶部に記憶されている当該各受付メールボックスに対応する前記部数と同じ回数繰り返すようにしてもよい。
【００１４】
ユーザーは、印刷ジョブの実行後、次の印刷ジョブが実行されるまでの間に、実行した印刷ジョブによって排出された用紙に対して、一部の用紙毎に用紙後処理を行いたい場合がある。この場合、本構成によれば、ユーザーは、当該排出された用紙が積載されているメールボックスを選択するという簡易な操作を行うだけでよい。これにより、当該印刷ジョブによって当該選択されたメールボックスに排出された用紙を一部ずつ後処理部に給紙させ、当該一部の用紙毎に用紙後処理を実行させることを、当該排出された用紙の部数と同じ回数繰り返させることができる。
【００１５】
その結果、ユーザーは、直近の印刷ジョブによって上記選択したメールボックスに排出された用紙に対して、一部の用紙毎に用紙後処理が行われた用紙束を、当該印刷ジョブによって上記選択したメールボックスに排出された用紙と同じ部数得ることができる。
【００１６】
また、前記各受付メールボックスから前記後処理部へ給紙する前記用紙の部数及び一部当たりの給紙枚数の入力を受け付ける給紙条件受付部を更に備え、前記給紙部は、前記各受付メールボックスに積載されている前記用紙のうち、前記給紙条件受付部により受け付けられた各受付メールボックスに対応する前記一部当たりの給紙枚数の前記用紙を給紙する処理と、当該給紙した前記用紙に対する前記用紙後処理の終了まで次の給紙を待機する処理とを、前記給紙条件受付部により受け付けられた当該各受付メールボックスに対応する前記部数と同じ回数繰り返すようにしてもよい。
【００１７】
ユーザーは、任意の時期に、所持している用紙束に対して一部の用紙毎に用紙後処理を行いたい場合がある。この場合、本構成によれば、ユーザーは、上記所持している用紙束をメールボックスに積載後、当該メールボックスを選択し、且つ、当該メールボックスに積載した用紙の部数及び一部当たりの給紙枚数を入力するという簡易な操作を行うだけでよい。これにより、当該メールボックスに積載した用紙を、上記入力した一部当たりの給紙枚数ずつ後処理部に給紙させ、当該一部当たりの給紙枚数の用紙毎に、つまり、一部の用紙毎に用紙後処理を実行させることを、上記入力した部数と同じ回数行わせることができる。
【００１８】
その結果、ユーザーは、任意の時期に、上記選択したメールボックスに積載した用紙に対して、一部の用紙毎に用紙後処理が行われた用紙束を、上記入力した部数と同じ部数得ることができる。
【００１９】
また、前記各受付メールボックスから前記後処理部へ給紙された前記用紙に対して行う前記用紙後処理の入力を受け付ける後処理受付部を更に備え、前記後処理部は、前記各受付メールボックスから給紙された前記用紙に対して、前記後処理受付部により受け付けられた当該各受付メールボックスに対応する前記用紙後処理を行うようにしてもよい。
【００２０】
本構成によれば、ユーザーは、受付メールボックス毎に、各受付メールボックスに積載された用紙に対して行わせる用紙後処理を意図に応じて適宜入力することができる。
【００２１】
また、予め定められた上限枚数よりも多くの前記用紙が前記後処理部へ給紙される場合に、警告を報知する警告報知部を更に備えてもよい。
【００２２】
本構成によれば、ユーザーは、報知された警告に気づくことにより、上限枚数よりも多くの用紙に対して用紙後処理を行おうとしていることに気づき易くなる。
【００２３】
また、本発明に係る画像形成装置は、前記後処理装置と、前記一以上のメールボックスの何れかに前記用紙を排出する印刷ジョブを実行するジョブ実行部と、を備える。
【００２４】
本構成によれば、印刷ジョブの実行により、メールボックスのそれぞれに排出された印刷済みの用紙を、給紙部によって後処理部へ給紙させ、後処理部によって、当該給紙された用紙に対して所定の用紙後処理を行わせることができる。これにより、印刷ジョブの実行後、メールボックスのそれぞれに排出された印刷済みの用紙を順次取り出して、当該取り出した用紙に対して用紙後処理を手動で行う手間をユーザーにかけることなく、当該印刷ジョブの実行によってメールボックスのそれぞれに排出された印刷済みの用紙に対して用紙後処理を容易に行うことができる。
【００２５】
また、前記ジョブ実行部は、前記印刷ジョブを実行する場合、前記用紙を、一部ずつ且つページ順に排出することが好ましい。
【００２６】
本構成によれば、一以上のメールボックスの何れかに用紙を排出する印刷ジョブの実行によって、各メールボックスには用紙が一部ずつ且つページ順に排出される。このため、給紙部によって、メールボックスに積載されている用紙を、一部ずつ、且つ、ページ順に後処理部に給紙することが容易となる。これにより、メールボックスに積載されている用紙に対して、後処理部に一部の用紙毎に用紙後処理を行わせることが容易となる。
【発明の効果】
【００２７】
この発明によれば、メールボックスに積載されている印刷済みの用紙に対して用紙後処理を容易に行うことができる後処理装置及び画像形成装置を提供することができる。
【図面の簡単な説明】
【００２８】
【図１】本発明に係る画像形成装置の一実施形態に係る複合機の概略構造図である。
【図２】前記複合機の電気的構成を示すブロック図である。
【図３】コピージョブの実行条件が入力可能な操作画面の一例を示す図である。
【図４】（Ａ）は、ソート条件及び仕分条件が入力可能な操作画面においてソート条件として「設定しない」が入力された場合の一例を示す図である。（Ｂ）は、ソート条件及び仕分条件が入力可能な操作画面においてソート条件として「設定する」が入力された場合の一例を示す図である。
【図５】後処理条件が入力可能な操作画面の一例を示す図である。
【図６】コピージョブ実行時の動作を示すフローチャートである。
【図７】排紙情報記憶部に記憶される情報の一例を示す図である。
【図８】メールボックスに排出された用紙に対して行われる用紙後処理の動作を示すフローチャートである。
【図９】後処理ジョブ実行時の動作を示すフローチャートである。
【発明を実施するための形態】
【００２９】
以下、本発明に係る後処理装置を備えた画像形成装置の一実施形態を図面に基づいて説明する。尚、本実施形態では、画像形成装置として複合機を例に説明するが、これに限定する趣旨ではなく、画像形成装置は、例えば、複写機、プリンター、又はファクシミリ装置等であってもよい。
【００３０】
図１は、本発明に係る画像形成装置の一実施形態に係る複合機１の概略構造図である。図２は、複合機１の電気的構成を示すブロック図である。図１及び図２に示すように、複合機１は、原稿読取部５と、原稿給送部６と、本体部１００と、後処理装置３と、通信部８と、操作部７と、を備えている。
【００３１】
原稿読取部５は、ＣＣＤ（Ｃｈａｒｇｅ  Ｃｏｕｐｌｅｄ  Ｄｅｖｉｃｅ）及び露光ランプ等からなるスキャナー５１と、ガラス等の透明部材により構成された原稿台５２及び原稿読取スリット５３とを備えている。スキャナー５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００３２】
原稿給送部６は、原稿載置部６０１、給紙ローラー６０２、原稿搬送部６０３及び原稿排出部６０４を備える。給紙ローラー６０２は、原稿載置部６０１にセットされた所要枚数分の原稿を一枚ずつ繰り出し、原稿搬送部６０３は、繰り出される原稿を順次スキャナー５１の読み取り位置に搬送する。スキャナー５１は、搬送される原稿の画像を順次読み取り、読み取られた原稿は原稿排出部６０４に排出される。
【００３３】
また、原稿給送部６はその前面側が上方に移動可能となるように本体部１００に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００３４】
本体部１００は、手差トレイ４６０、複数の給紙カセット４６１、複数の給紙ローラー４６２、画像形成部４、排出口２０９、排出トレイ４８、及び制御部１０を備えている。
【００３５】
給紙ローラー４６２は、用紙が収納された手差トレイ４６０や給紙カセット４６１から用紙を引き出し、用紙を画像形成部４へ給送する。
【００３６】
画像形成部４は、制御部１０による制御の下、給紙ローラー４６２によって搬送されてきた用紙に、制御部１０に入力された画像データが示す画像を形成する印刷処理を実行する。画像形成部４は、当該印刷処理による印刷済みの用紙を排出トレイ４８に排出する。または、画像形成部４は、当該印刷処理による印刷済みの用紙を排出口２０９を介して後処理装置３へ搬送する。
【００３７】
具体的には、画像形成部４は、用紙搬送部４１と、光走査装置４２と、感光体ドラム４３と、現像部４４と、転写部４５と、定着部４６と、を備えている。
【００３８】
用紙搬送部４１は、給紙ローラー４６２によって搬送されてきた用紙を感光体ドラム４３に供給する搬送ローラー４１３や、印刷済みの用紙を排出口２０９を介して後処理部３２へ搬送する搬送ローラー４１４や、印刷済みの用紙を排出トレイ４８に排出する搬送ローラー４１５等を備えている。
【００３９】
光走査装置４２は、制御部１０に入力された画像データに基づいてレーザー光を出力し、このレーザー光によって感光体ドラム４３を走査することで、感光体ドラム４３上に静電潜像を形成する。現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４０】
制御部１０は、複合機１の各部の動作制御を行う。制御部１０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリーと、データを一時的に記憶するＲＡＭ（Ｒａｎｄｏｍ  Ａｃｃｅｓｓ  Ｍｅｍｏｒｙ）と、これらの周辺回路等とを備えて構成されている。
【００４１】
制御部１０は、不揮発性メモリー等に記憶された制御プログラムをＣＰＵに実行させることにより、例えば、条件受付部１１（選択受付部、給紙条件受付部、後処理受付部）、ジョブ実行部１２、警告報知部１３として動作する。また、制御部１０は、ＲＡＭの記憶領域の一部を排紙情報記憶部１４（第一記憶部、第二記憶部）として用いる。
【００４２】
条件受付部１１は、ジョブの実行条件の入力を受け付ける。ジョブ実行部１２は、条件受付部１１により受け付けられた実行条件を用いてジョブを実行する。ジョブ及びジョブの実行条件の入力方法の詳細については後述する。また、警告報知部１３及び排紙情報記憶部１４の詳細についても後述する。
【００４３】
後処理装置３は、本体部１００に着脱可能に構成されている。後処理装置３は、搬入口３０１、用紙搬送部３０２、スタックトレイ３０３、四個のメールボックス３０４ａ〜３０４ｄ、仕分け部３１、後処理部３２、及び排紙給紙部３３（給紙部）を備えている。以下では、四個のメールボックス３０４ａ〜３０４ｄを総称する場合、メールボックス３０４と記載する。
【００４４】
用紙搬送部３０２は、用紙搬送路に沿って配置された複数の搬送ローラー（図１に示す符号なしの二重丸印）を備えている。用紙搬送部３０２は、当該搬送ローラーを回転駆動することによって、搬入口３０１を介して搬送されてきた印刷済みの用紙を用紙搬送路に沿って搬送する。
【００４５】
スタックトレイ３０３及びメールボックス３０４には、用紙搬送部３０２により搬送された印刷済みの用紙が排出され、積載される。
【００４６】
仕分け部３１は、ジョブ実行部１２による制御の下、不図示のソレノイドによって回動し、用紙の搬送方向を切り換える。これにより、仕分け部３１は、用紙搬送部３０２により搬送された印刷済みの用紙の搬送先を、スタックトレイ３０３、四個のメールボックス３０４ａ〜３０４ｄ、及び後述の中間トレイ３２１の何れかに仕分ける。
【００４７】
例えば、印刷済みの用紙をスタックトレイ３０３へ排出する場合、仕分け部３１は、用紙搬送部３０２により搬送された用紙の搬送方向を図１に示す方向Ｄ１に切り替え、用紙を後述の中間トレイ３２１に一時貯留させる。その後、仕分け部３１は、用紙搬送部３０２により後述の中間トレイ３２１から搬送された用紙の搬送方向を図１に示す方向Ｄ２に切り替え、用紙をスタックトレイ３０３に排出させる。
【００４８】
また、印刷済みの用紙を所定のメールボックス３０４へ排出する場合、仕分け部３１は、用紙搬送部３０２により搬送された用紙の搬送方向を、図１に示す方向Ｄ３に切り替えた後、所定のメールボックス３０４に向かう方向に切り替える。
【００４９】
後処理部３２は、中間トレイ３２１を備えている。中間トレイ３２１には、用紙搬送部３０２により搬送された印刷済みの用紙が一時的に貯留される。後処理部３２は、ジョブ実行部１２による制御の下、中間トレイ３２１に貯留されている印刷済みの用紙に対して用紙後処理を行う。用紙後処理には、用紙に綴じ孔を穿孔するパンチ処理、及び用紙にステープル針を打ち込むステープル処理が含まれる。後処理部３２によって用紙後処理が行われた用紙は、用紙搬送部３０２及び仕分け部３１によって、中間トレイ３２１から図１に示す方向Ｄ２に沿って搬送され、スタックトレイ３０３に排出される。
【００５０】
排紙給紙部３３は、用紙搬送部３０２により搬送された印刷済みの用紙を四個のメールボックス３０４ａ〜３０４ｄのそれぞれに排出する。また、排紙給紙部３３は、四個のメールボックス３０４ａ〜３０４ｄのそれぞれに積載されている印刷済みの用紙を中間トレイ３２１へ給紙可能に構成されている。
【００５１】
具体的には、排紙給紙部３３は、回転駆動する駆動ローラー３３１と、給紙ローラー３３２と、駆動ローラー３３１と給紙ローラー３３２との間に張設された無端ベルト３３３と、を備えている。
【００５２】
排紙給紙部３３は、印刷済みの用紙をメールボックス３０４へ排出する場合、ジョブ実行部１２による制御の下、不図示のソレノイドによって図１の実線部に示す第一姿勢になる。そして、排紙給紙部３３は、ジョブ実行部１２による制御の下、駆動ローラー３３１を時計周りに回転させることにより、用紙搬送部３０２により搬送された印刷済みの用紙をメールボックス３０４へ排出する。
【００５３】
一方、排紙給紙部３３は、メールボックス３０４に積載されている印刷済みの用紙に対して後処理部３２により用紙後処理を行わせる場合、メールボックス３０４に積載されている印刷済みの用紙を中間トレイ３２１へ給紙する。この場合、排紙給紙部３３は、ジョブ実行部１２による制御の下、不図示のソレノイドによって図１の点線部に示す第二姿勢になる。第二姿勢において、給紙ローラー３３２は、メールボックス３０４に積載された印刷済みの用紙のうち、最上部の用紙に当接した状態になる。
【００５４】
そして、排紙給紙部３３は、ジョブ実行部１２による制御の下、駆動ローラー３３１を反時計周りに回転させることにより、給紙ローラー３３２及び無端ベルト３３３を反時計周りに従動回転させる。これにより、排紙給紙部３３は、上記最上部の用紙を用紙搬送部３０２へ搬送する。当該排紙給紙部３３によって搬送された用紙は、用紙搬送部３０２及び仕分け部３１により、図１に示す方向Ｄ４に沿って中間トレイ３２１へ搬送され、中間トレイ３２１に一時的に貯留される。その後、後処理部３２によって用紙後処理が行われた用紙は、用紙搬送部３０２及び仕分け部３１によって、中間トレイ３２１から図１に示す方向Ｄ２に沿って搬送され、スタックトレイ３０３に排出される。
【００５５】
通信部８は、複合機１の内部に設けられている。通信部８は、ＬＡＮ（Ｌｏｃａｌ  Ａｒｅａ  Ｎｅｔｗｏｒｋ）等の不図示のネットワークに接続され、当該ネットワークに接続されたパーソナルコンピュータ等の外部装置との間で各種データの送受信を行う通信インターフェイス回路である。
【００５６】
例えば、通信部８は、後述のプリントジョブに用いる画像データを外部装置から受信し、受信した画像データを制御部１０へ出力する。また、通信部８は、後述の送信ジョブの実行時に、原稿読取部５から制御部１０に入力された画像データを外部装置へ送信する。
【００５７】
操作部７は、ユーザーによる種々の操作指示を入力可能に構成されている。操作部７は、タッチパネル装置７１、操作キー部７２、スピーカー７３、及びスイッチ７４を備えている。
【００５８】
タッチパネル装置７１は、液晶ディスプレイ等の表示部７１１を備えている。また、タッチパネル装置７１は、静電容量方式のタッチパネル機能を有している。タッチパネル機能とは、ユーザーが指やペン等の指示体を表示部７１１に近づけたときに生じる静電容量の変化に基づいて、ユーザーが指示体を用いてタッチ操作した、表示部７１１に表示されているソフトキー等の画面部品を検出する機能である。尚、タッチパネル機能は、静電容量方式に限らず、例えば、超音波方式や光学方式であってもよい。
【００５９】
操作キー部７２は、例えば、数値や記号を入力するためのテンキーや、後述する各ジョブの実行開始を指示するためのスタートキー等の各種キーを備えている。スピーカー７３は、所謂ビープ音等の所定の警告音を出力する。
【００６０】
スイッチ７４は、実行対象のジョブを切り替えるスイッチである。複合機１において実行可能なジョブには、例えば、送信ジョブ、コピージョブ、プリントジョブ、後処理ジョブ等が含まれる。
【００６１】
送信ジョブとは、原稿読取部５から制御部１０に入力された画像データを通信部８によって外部装置へ送信させるジョブである。
【００６２】
コピージョブとは、画像形成部４に、原稿読取部５から制御部１０に入力された画像データを用いて印刷処理を実行させるジョブである。プリントジョブとは、画像形成部４に、通信部８から制御部１０に入力された画像データを用いて印刷処理を実行させるジョブである。以下、画像形成部４に印刷処理を実行させるコピージョブ及びプリントジョブを総称する場合、印刷ジョブと記載する。
【００６３】
後処理ジョブとは、メールボックス３０４に積載されている印刷済みの用紙を、排紙給紙部３３によって中間トレイ３２１へ給紙させ、後処理部３２に、中間トレイ３２１に貯留された当該印刷済みの用紙に対して所定の用紙後処理を行わせるジョブである。
【００６４】
スイッチ７４には、例えば、実行対象のジョブを送信ジョブに切り替えるスイッチ、実行対象のジョブをコピージョブに切り替えるスイッチ、実行対象のジョブをプリントジョブに切り替えるスイッチ、及び実行対象のジョブを後処理ジョブに切り替えるスイッチ等が含まれる。
【００６５】
スイッチ７４が押下されることにより、実行対象のジョブが切り替えられた場合、条件受付部１１は、当該切り替え後の実行対象のジョブに対応する操作画面を表示部７１１に表示する。ジョブに対応する操作画面とは、当該ジョブの実行条件が入力可能な操作画面を示す。
【００６６】
以下、印刷ジョブに対応する操作画面を用いた印刷ジョブの実行条件の入力方法の詳細について説明する。図３は、コピージョブの実行条件が入力可能な操作画面Ｗ１の一例を示す図である。例えば、実行対象のジョブをコピージョブに切り替えるスイッチ７４が押下された場合、条件受付部１１は、図３に示すように、コピージョブに対応する操作画面Ｗ１を表示部７１１に表示する。
【００６７】
操作画面Ｗ１には、コピージョブの実行条件「簡単設定」に含まれる７つの実行条件をそれぞれ入力するために、７つのソフトキーＳＫ１〜ＳＫ７が設けられている。ソフトキーＳＫ１は、実行条件「部数」を入力するために設けられている。ソフトキーＳＫ２は、実行条件「用紙」を入力するために設けられている。ソフトキーＳＫ３は、実行条件「縮小／拡大」を入力するために設けられている。ソフトキーＳＫ４は、実行条件「両面／分割」を入力するために設けられている。ソフトキーＳＫ５は、実行条件「排紙先」を入力するために設けられている。ソフトキーＳＫ６は、実行条件「ページ集約」を入力するために設けられている。ソフトキーＳＫ７は、実行条件「ソート／仕分け」を入力するために設けられている。
【００６８】
上記７つのソフトキーＳＫ１〜ＳＫ７を代表して、ソフトキーＳＫ５とソフトキーＳＫ７とについて説明する。尚、以下では、実行条件「ソート／仕分け」に含まれる実行条件「ソート」をソート条件と記載する。また、実行条件「ソート／仕分け」に含まれる実行条件「仕分け」を仕分け条件と記載する。
【００６９】
ソフトキーＳＫ５は、スタックトレイ３０３、四個のメールボックス３０４ａ〜３０４ｄ及び排出トレイ４８のうち、コピージョブの実行によって画像が形成された用紙の排出先を、実行条件「排出先」として入力するためのソフトキーである。
【００７０】
タッチパネル装置７１によってソフトキーＳＫ５のタッチ操作が検出された場合、条件受付部１１は、実行条件「排出先」として入力可能な６個の設定値「左トレイ」、「メールボックス１」、「メールボックス２」、「メールボックス３」、「メールボックス４」「中トレイ」のそれぞれに対応する６個のソフトキーを、ソフトキーＳＫ５に重ねて表示する。尚、「左トレイ」はスタックトレイ３０３を示し、「メールボックス１」、「メールボックス２」、「メールボックス３」、「メールボックス４」は、それぞれ、メールボックス３０４ａ、３０４ｂ、３０４ｃ、３０４ｄを示し、「中トレイ」は、排出トレイ４８を示す。
【００７１】
そして、当該６個のソフトキーのうちの何れかのタッチ操作が検出されると、条件受付部１１は、当該タッチ操作されたソフトキーに対応する設定値を実行条件「排出先」として受け付ける。
【００７２】
例えば、図３は、ソフトキーＳＫ５がタッチ操作された後、「左トレイ」を示すソフトキーのタッチ操作によって、実行条件「排出先」の設定値「左トレイ」が入力された例を示している。この場合、条件受付部１１は、設定値「左トレイ」を実行条件「排出先」として受け付ける。ジョブ実行部１２は、用紙搬送部３０２及び仕分け部３１を制御し、コピージョブの実行によって画像が形成された印刷済みの用紙を、当該実行条件「排出先」が示すスタックトレイ３０３に排出させる。
【００７３】
次に、ソフトキーＳＫ７について説明する。図４（Ａ）は、ソート条件及び仕分条件が入力可能な操作画面Ｗ２においてソート条件として「設定しない」が入力された場合の一例を示す図である。図４（Ｂ）は、ソート条件及び仕分条件が入力可能な操作画面Ｗ２においてソート条件として「設定する」が入力された場合の一例を示す図である。
【００７４】
タッチパネル装置７１によってソフトキーＳＫ７のタッチ操作が検出された場合、条件受付部１１は、図４（Ａ）に示すように、ソート条件及び仕分け条件を入力可能な操作画面Ｗ２を表示する。
【００７５】
操作画面Ｗ２には、ソート条件の設定値「設定しない」に対応するソフトキーＳＫ２１と、ソート条件の設定値「設定する」に対応するソフトキーＳＫ２２とが設けられている。ソフトキーＳＫ２１及びソフトキーＳＫ２２は、タッチ操作によって何れか一方のみが選択可能である。条件受付部１１は、ソフトキーＳＫ２１及びソフトキーＳＫ２２のうち、選択されたソフトキーに対応する設定値をソート条件として受け付ける。
【００７６】
例えば、ユーザーが、ソフトキーＳＫ２１をタッチ操作することによって、ソフトキーＳＫ２１を選択したとする。この場合、条件受付部１１は、当該選択されたソフトキーＳＫ２１に対応する設定値「設定しない」をソート条件として受け付けるとともに、ソフトキーＳＫ２１を所定の選択状態で表示する。尚、選択状態とは、選択されていることが視認可能な状態を示す。例えば、図４（Ａ）では、条件受付部１１は、ソフトキーＳＫ２１を白黒反転した状態で表示することにより、ソフトキーＳＫ２１を選択状態で表示している。
【００７７】
ソート条件として設定値「設定しない」が受け付けられた場合、ジョブ実行部１２は、印刷済みの用紙をページ毎に部数ずつ排出するように、印刷ジョブを実行する。ソート条件として設定値「設定する」が受け付けられた場合、ジョブ実行部１２は、印刷済みの用紙を、一部ずつ、且つ、ページ順に排出するように、印刷ジョブを実行する。
【００７８】
例えば、印刷ジョブとして、三ページの用紙を二部出力するコピージョブを実行するとする。この場合、ソート条件として設定値「設定しない」が受け付けられたときは、図４（Ａ）のソフトキーＳＫ２１の上部に図示しているように、ジョブ実行部１２は、一ページ目の用紙を二部排出した後、二ページ目の用紙を二部排出し、三ページ目の用紙を二部排出するように、当該コピージョブを実行する。一方、ソート条件として設定値「設定する」が受け付けられたときは、図４（Ａ）のソフトキーＳＫ２２の上部に図示しているように、ジョブ実行部１２は、一部目の三ページの用紙をページ順に排出した後、二部目の三ページの用紙をページ順に排出するように、当該コピージョブを実行する。
【００７９】
条件受付部１１は、ソート条件として設定値「設定しない」を受け付けた場合、操作画面Ｗ２に、仕分け条件の設定値「設定しない」に対応するソフトキーＳＫ２３と、仕分け条件の設定値「ページ毎仕分け」に対応するソフトキーＳＫ２４と、を表示する。ソフトキーＳＫ２３及びソフトキーＳＫ２４は、ソフトキーＳＫ２１及びソフトキーＳＫ２２と同様に、タッチ操作によって何れか一方のみが選択可能である。条件受付部１１は、ソフトキーＳＫ２３及びソフトキーＳＫ２４のうち、選択されたソフトキーに対応する設定値を仕分け条件として受け付ける。
【００８０】
ソート条件として設定値「設定しない」が受け付けられ、且つ、仕分け条件として設定値「設定しない」が受け付けられた場合、ジョブ実行部１２は、ソート条件に従ってページ毎に部数ずつ排出する印刷済み用紙を、実行条件「排出先」が示す排出先に排出するように、印刷ジョブを実行する。一方、ソート条件として設定値「設定しない」が受け付けられ、且つ、仕分け条件として設定値「ページ毎仕分け」が受け付けられた場合、ジョブ実行部１２は、ソート条件に従ってページ毎に部数ずつ排出する印刷済み用紙を、ページ毎に異なるメールボックス３０４に仕分けして排出するように、印刷ジョブを実行する。
【００８１】
例えば、印刷ジョブとして、三ページの用紙を二部出力するコピージョブを実行するとする。そして、ソート条件として設定値「設定しない」が受け付けられ、且つ、仕分け条件として設定値「設定しない」が受け付けられたとする。この場合、ジョブ実行部１２は、図４（Ａ）のソフトキーＳＫ２３の上部に図示しているように、実行条件「排出先」が示す排出先に、一ページ目の用紙を二部排出した後、二ページ目の用紙を二部排出し、その後、三ページ目の用紙を二部排出するように、当該コピージョブを実行する。
【００８２】
一方、例えば、三ページの用紙を三部出力するコピージョブを実行するとする。そして、ソート条件として設定値「設定しない」が受け付けられ、且つ、仕分け条件として設定値「ページ毎仕分け」が受け付けられたとする。この場合、ジョブ実行部１２は、図４（Ａ）のソフトキーＳＫ２４の上部に図示しているように、一ページ目の三部の用紙を、それぞれ、メールボックス３０４ａ、３０４ｂ、３０４ｃに仕分けして排出した後、二ページ目の三部の用紙を、それぞれ、メールボックス３０４ａ、３０４ｂ、３０４ｃに仕分けして排出し、その後、三ページ目の三部の用紙を、それぞれ、メールボックス３０４ａ、３０４ｂ、３０４ｃに仕分けして排出するように、当該コピージョブを実行する。
【００８３】
また、条件受付部１１は、ソート条件として設定値「設定する」を受け付けた場合、図４（Ｂ）に示すように、操作画面Ｗ２に、仕分け条件の設定値「設定しない」に対応するソフトキーＳＫ２５と、仕分け条件の設定値「一部毎仕分け」に対応するソフトキーＳＫ２６とを表示する。ソフトキーＳＫ２５及びソフトキーＳＫ２６は、ソフトキーＳＫ２１及びソフトキーＳＫ２２と同様に、タッチ操作によって何れか一方のみが選択可能である。条件受付部１１は、ソフトキーＳＫ２５及びソフトキーＳＫ２６のうち、選択されたソフトキーに対応する設定値を仕分け条件として受け付ける。
【００８４】
ソート条件として設定値「設定する」が受け付けられ、且つ、仕分け条件として設定値「設定しない」が受け付けられた場合、ジョブ実行部１２は、ソート条件に従って一部ずつ、且つ、ページ順に排出する印刷済み用紙を、実行条件「排出先」が示す排出先に排出するように、印刷ジョブを実行する。一方、ソート条件として設定値「設定しない」が受け付けられ、且つ、仕分け条件として設定値「一部毎仕分け」が受け付けられた場合、ジョブ実行部１２は、ソート条件に従って一部ずつ、且つ、ページ順に排出する印刷済み用紙を、一部毎に異なるメールボックス３０４に仕分けして排出するように、印刷ジョブを実行する。
【００８５】
例えば、印刷ジョブとして、三ページの用紙を二部出力するコピージョブを実行するとする。そして、ソート条件として設定値「設定する」が受け付けられ、且つ、仕分け条件として設定値「設定しない」が受け付けられたとする。この場合、ジョブ実行部１２は、図４（Ｂ）のソフトキーＳＫ２５の上部に図示しているように、実行条件「排出先」が示す排出先に、一部目の三ページの用紙をページ順に排出した後、二部目の三ページの用紙をページ順に排出するように、当該コピージョブを実行する。
【００８６】
一方、例えば、印刷ジョブとして、三ページの用紙を三部出力するコピージョブを実行するとする。そして、ソート条件として設定値「設定する」が受け付けられ、且つ、仕分け条件として設定値「一部毎仕分け」が受け付けられたとする。この場合、ジョブ実行部１２は、図４（Ｂ）のソフトキーＳＫ２６の上部に図示しているように、一ページ目の三部の用紙を、それぞれ、メールボックス３０４ａ、３０４ｂ、３０４ｃに仕分けして排出した後、二ページ目の三部の用紙を、それぞれ、メールボックス３０４ａ、３０４ｂ、３０４ｃに仕分けして排出し、その後、三ページ目の三部の用紙を、それぞれ、メールボックス３０４ａ、３０４ｂ、３０４ｃに仕分けして排出するように、当該コピージョブを実行する。
【００８７】
このように、ソート条件として設定値「設定する」が受け付けられ、且つ、仕分け条件として設定値「一部毎仕分け」が受け付けられた印刷ジョブを実行する場合、及び、ソート条件として設定値「設定しない」が受け付けられ、且つ、仕分け条件として設定値「ページ毎仕分け」が受け付けられた印刷ジョブを実行する場合、ジョブ実行部１２は、メールボックス３０４のそれぞれに、一部ずつ、且つ、ページ順に用紙を排出する。つまり、ジョブ実行部１２は、４個のメールボックス３０４の何れかに用紙を仕分けして排出する印刷ジョブを実行する場合、ジョブ実行部１２は、メールボックス３０４のそれぞれに、一部ずつ、且つ、ページ順に用紙を排出する。
【００８８】
図３に参照を戻す。操作画面Ｗ１の下部には、タブキーＴＫ１〜ＴＫ６が設けられている。タブキーＴＫ１は、操作画面Ｗ１をそのまま表示させるために設けられている。タブキーＴＫ２は、操作画面Ｗ１に代えて、コピージョブの実行条件「後処理」に含まれる複数の実行条件が入力可能な操作画面を表示させるために設けられている。同様に、タブキーＴＫ３、ＴＫ４、ＴＫ５、ＴＫ６は、操作画面Ｗ１に代えて、それぞれ、コピージョブの実行条件「カラー／画質」、「レイアウト／編集」、「応用／その他」、「プログラム」に含まれる複数の実行条件が入力可能な操作画面を表示させるために設けられている。
【００８９】
６個のタブキーＴＫ１〜ＴＫ６は、タッチ操作によって何れか一つが選択可能である。条件受付部１１は、タブキーＴＫ１が選択された場合、操作画面Ｗ１をそのまま表示する。条件受付部１１は、タブキーＴＫ２〜ＴＫ６が選択された場合、操作画面Ｗ１に代えて、選択されたタブキーに対応する操作画面を表示部７１１に表示する。
【００９０】
上記５つのタブキーＴＫ２〜ＴＫ６を代表してタブキーＴＫ２について説明する。尚、以下では、実行条件「後処理」を後処理条件と記載する。図５は、後処理条件が入力可能な操作画面Ｗ３の一例を示す図である。
【００９１】
ユーザーが、タブキーＴＫ２をタッチ操作することによって、タブキーＴＫ２を選択したとする。この場合、条件受付部１１は、図５に示すように、当該選択されたタブキーＴＫ２に対応する操作画面Ｗ３を表示部７１１に表示する。
【００９２】
条件受付部１１は、仕分け条件として設定値「ページ毎仕分け」又は「一部毎仕分け」を受け付けた場合、図５に示すように、操作画面Ｗ３に、四個のメールボックス３０４ａ〜３０４ｄのそれぞれに対応する四個のソフトキーＳＫ３１ａ〜ＳＫ３１ｄを表示する。
【００９３】
ソフトキーＳＫ３１ａは、メールボックス３０４ａに排出された用紙に対して後処理部３２に行わせる用紙後処理の実行条件「ステープル」、「パンチ」、「後処理種別」が入力可能なソフトキー群を、領域ＤＡ３に表示するために設けられている。同様に、ソフトキーＳＫ３１ｂ、ＳＫ３１ｃ、ＳＫ３１ｄは、それぞれ、メールボックス３０４ｂ、３０４ｃ、３０４ｄに排出された用紙に対して後処理部３２に行わせる用紙後処理の実行条件「ステープル」、「パンチ」、「後処理種別」が入力可能なソフトキー群を、領域ＤＡ３に表示するために設けられている。以下、用紙後処理の実行条件「ステープル」、「パンチ」、「後処理種別」を、それぞれ、ステープル条件、パンチ条件、後処理種別条件と記載する。
【００９４】
上記四個のソフトキーＳＫ３１ａ〜ＳＫ３１ｄを代表してソフトキーＳＫ３１ａについて説明する。ユーザーが、ソフトキーＳＫ３１ａをタッチ操作することによって、ソフトキーＳＫ３１ａを選択したとする。
【００９５】
この場合、図５に示すように、条件受付部１１は、領域ＤＡ３に、ステープル条件の設定値を示す６個のソフトキーＳＫ３２ａ〜ＳＫ３２ｆと、パンチ条件の設定値を示す四個のソフトキーＳＫ３３ａ〜ＳＫ３３ｄと、後処理種別条件の設定値を示す三個のソフトキーＳＫ３４ａ〜ＳＫ３４ｃと、後処理種別条件として後述の設定値「詳細指定」が受け付けられた場合に用いる用紙後処理の実行条件「給紙部数」の設定値の入力表示欄Ａ３１と、用紙後処理の実行条件「一枚当たりの給紙枚数」の設定値の入力表示欄Ａ３２と、を表示する。
【００９６】
６個のソフトキーＳＫ３２ａ〜ＳＫ３２ｆは、タッチ操作によって何れか一個のみが選択可能である。条件受付部１１は、六個のソフトキーＳＫ３２ａ〜ＳＫ３２ｆのうち、選択されたソフトキーに対応する設定値をステープル条件として受け付ける。
【００９７】
ソフトキーＳＫ３２ａは、ステープル処理を行わせないことを示す設定値「設定しない」を示す。ソフトキーＳＫ３２ｂは、ステープル針を用紙の左上に一つ打ち込ませることを示す設定値「左上」を示す。ソフトキーＳＫ３２ｃは、ステープル針を用紙の右上に一つ打ち込ませることを示す設定値「右上」を示す。ソフトキーＳＫ３２ｄは、ステープル針を用紙の左部に二つ打ち込ませることを示す設定値「左２点」を示す。ソフトキーＳＫ３２ｅは、ステープル針を用紙の上部に二つ打ち込ませることを示す設定値「上２点」を示す。ソフトキーＳＫ３２ｆは、ステープル針を用紙の右部に二つ打ち込ませることを示す設定値「右２点」を示す。
【００９８】
例えば、ユーザーが、ソフトキーＳＫ３２ｂをタッチ操作することによって、ソフトキーＳＫ３２ｂを選択したとする。この場合、条件受付部１１は、当該選択されたソフトキーＳＫ３２ｂに対応する「左上」をステープル条件として受け付けるとともに、図５に示すように、ソフトキーＳＫ３２ｂを選択状態で表示する。
【００９９】
四個のソフトキーＳＫ３３ａ〜ＳＫ３３ｄは、タッチ操作によって何れか一個のみが選択可能である。条件受付部１１は、四個のソフトキーＳＫ３３ａ〜ＳＫ３３ｄのうち、選択されたソフトキーに対応する設定値をパンチ条件として受け付ける。
【０１００】
ソフトキーＳＫ３３ａは、パンチ処理を行わせないことを示す設定値「設定しない」を示す。ソフトキーＳＫ３３ｂは、用紙の左部に２個の綴じ孔を穿孔することを示す設定値「左２穴」を示す。ソフトキーＳＫ３３ｃは、用紙の上部に２個の綴じ孔を穿孔することを示す設定値「上２穴」を示す。ソフトキーＳＫ３３ｄは、用紙の右部に２個の綴じ孔を穿孔することを示す設定値「右２穴」を示す。
【０１０１】
例えば、ユーザーが、ソフトキーＳＫ３３ｂをタッチ操作することによって、ソフトキーＳＫ３３ｂを選択したとする。この場合、条件受付部１１は、当該選択されたソフトキーＳＫ３３ｂに対応する「左２穴」をパンチ条件として受け付けるとともに、図５に示すように、ソフトキーＳＫ３３ｂを選択状態で表示する。
【０１０２】
三個のソフトキーＳＫ３４ａ〜ＳＫ３４ｃは、タッチ操作によって何れか一個のみが選択可能である。条件受付部１１は、三個のソフトキーＳＫ３４ａ〜ＳＫ３４ｃのうち、選択されたソフトキーに対応する設定値を後処理種別条件として受け付ける。
【０１０３】
ソフトキーＳＫ３４ａは、後処理種別条件の設定値「一部毎」を示す。ソフトキーＳＫ３４ｂは、後処理種別条件の設定値「一括」を示す。ソフトキーＳＫ３４ｃは、後処理種別条件の設定値「詳細指定」を示す。
【０１０４】
例えば、ユーザーが、ソフトキーＳＫ３４ａをタッチ操作することによって、ソフトキーＳＫ３４ａを選択したとする。この場合、条件受付部１１は、当該選択されたソフトキーＳＫ３４ａに対応する設定値「一部毎」を後処理種別条件として受け付けるとともに、図５に示すように、ソフトキーＳＫ３４ａを選択状態で表示する。
【０１０５】
ユーザーが、ソフトキーＳＫ３４ｂをタッチ操作することによって、ソフトキーＳＫ３４ｂを選択したとする。この場合、条件受付部１１は、当該選択されたソフトキーＳＫ３４ｂに対応する設定値「一括」を後処理種別条件として受け付けるとともに、ソフトキーＳＫ３４ｂを選択状態で表示する。
【０１０６】
ユーザーがソフトキーＳＫ３４ｃを選択した場合、条件受付部１１は、当該選択されたソフトキーＳＫ３４ｃに対応する設定値「詳細設定」を後処理種別条件として受け付けるとともに、ソフトキーＳＫ３４ｃを選択状態で表示し、且つ、入力表示欄Ａ３１及び入力表示欄Ａ３２を入力可能な状態にする。つまり、後処理種別条件として設定値「詳細指定」が受け付けられた場合、ユーザーは、操作キー部７２に含まれるテンキーを用いて、入力表示欄Ａ３１及び入力表示欄Ａ３２に数値を入力可能となる。
【０１０７】
尚、条件受付部１１は、ユーザーがソフトキーＳＫ３４ａ、ＳＫ３４ｂを選択した場合、つまり、後処理種別条件として設定値「一部毎」又は設定値「一括」を受け付けた場合、入力表示欄Ａ３１及び入力表示欄Ａ３２を入力不可能な状態にする。この場合、ユーザーは、操作キー部７２に含まれるテンキーを用いて、入力表示欄Ａ３１及び入力表示欄Ａ３２に数値を入力できなくなる。
【０１０８】
後処理種別条件として設定値「一部毎」が受け付けられた場合、ジョブ実行部１２は、後処理部３２に、四個のソフトキーＳＫ３１ａ〜ＳＫ３１ｄのうち選択されているソフトキーに対応するメールボックス３０４に排出された用紙に対して、一部の用紙毎に、ステープル条件及びパンチ条件が示す用紙後処理を実行させる。
【０１０９】
後処理種別条件として設定値「一括」が受け付けられた場合、ジョブ実行部１２は、後処理部３２に、四個のソフトキーＳＫ３１ａ〜ＳＫ３１ｄのうち選択されているソフトキーに対応するメールボックス３０４に排出された用紙全体に対して、一括して、ステープル条件及びパンチ条件が示す用紙後処理を実行させる。
【０１１０】
条件受付部１１は、後処理種別条件として設定値「詳細指定」を受け付けた場合、入力表示欄Ａ３１に入力された数値を実行条件「給紙部数」として受け付け、入力表示欄Ａ３２に入力された数値を実行条件「一枚当たりの給紙枚数」として受け付ける。
【０１１１】
この場合、ジョブ実行部１２は、排紙給紙部３３に、四個のソフトキーＳＫ３１ａ〜ＳＫ３１ｄのうち選択されているソフトキーに対応するメールボックス３０４に排出された用紙のうち、実行条件「一枚当たりの給紙枚数」と同じ枚数の用紙を中間トレイ３２１へ給紙させる第一処理を行う。ジョブ実行部１２は、後処理部３２に、第一処理により給紙させた用紙に対して、ステープル条件及びパンチ条件が示す用紙後処理を実行させ、当該用紙後処理が終了するまでの間、排紙給紙部３３による次の給紙を待機させる第二処理を行う。ジョブ実行部１２は、第一処理及び第二処理を実行条件「給紙部数」と同じ回数繰り返す。
【０１１２】
つまり、図５は、メールボックス３０４ａに対して行わせる用紙後処理の実行条件である、ステープル条件として設定値「左上」が受け付けられ、パンチ条件として設定値「左２穴」が受け付けられ、後処理種別条件として設定値「一部毎」が受け付けられたことを示している。
【０１１３】
このようにして、ユーザーは、上記操作画面Ｗ２を用いて仕分け条件の設定値「ページ毎仕分け」又は「一部毎仕分け」を選択した場合、操作画面Ｗ３内の領域ＤＡ３に表示されたソフトキー群を用いて、四個のソフトキーＳＫ３１ａ〜ＳＫ３１ｄのうち、選択したソフトキーに対応するメールボックス３０４に排出された用紙に対して行わせる用紙後処理の実行条件「ステープル」「パンチ」「後処理種別」を入力することができる。
【０１１４】
条件受付部１１により受け付けられた、四個のソフトキーＳＫ３１ａ〜ＳＫ３１ｄのうち、ユーザーにより選択されたソフトキーに対応するメールボックス３０４に排出された用紙に対して行わせる用紙後処理の実行条件「ステープル」「パンチ」の何れかが、設定値「設定しない」とは異なる設定値であったとする。この場合、条件受付部１１は、当該選択されたソフトキーに対応するメールボックス３０４を、後処理条件に含まれる実行条件「後処理対象」として受け付ける。以下、実行条件「後処理対象」を後処理対象条件と記載する。
【０１１５】
一方、条件受付部１１により受け付けられた、四個のソフトキーＳＫ３１ａ〜ＳＫ３１ｄのうち、ユーザーにより選択されたソフトキーに対応するメールボックス３０４に排出された用紙に対して行わせる用紙後処理の実行条件「ステープル」「パンチ」が共に、設定値「設定しない」であったとする。この場合、条件受付部１１は、当該選択されたソフトキーに対応するメールボックス３０４を、後処理対象条件として受け付けない。
【０１１６】
尚、仕分け条件として設定値「設定しない」が受け付けられ、且つ、実行条件「排出先」として設定値「左トレイ」が受け付けられ、且つ、ソート条件として設定値「設定する」が受け付けられたとする。つまり、印刷済みの用紙を一部ずつ、且つ、ページ順にスタックトレイ３０３に排出する印刷ジョブを実行するとする。この場合、条件受付部１１は、操作画面Ｗ３に、ソフトキーＳＫ３１ａ〜ＳＫ３１ｄ、ソフトキーＳＫ３４ｃ、入力表示欄Ａ３１及び入力表示欄Ａ３２を表示せず、ソフトキーＳＫ３２ａ〜ＳＫ３２ｆ、ソフトキーＳＫ３３ａ〜ＳＫ３３ｄ、及びソフトキーＳＫ３４ａ〜ＳＫ３４ｂのみを領域ＤＡ３に表示する。
【０１１７】
つまり、この場合、ユーザーは、操作画面Ｗ３内の領域ＤＡ３に表示されたソフトキー群を上記と同様に用いて、スタックトレイ３０３に排出される前に、中間トレイ３２１に搬送された用紙に対して行わせる用紙後処理の実行条件「ステープル」「パンチ」を入力することができ、実行条件「後処理種別」として、設定値「一部毎」、「一括」のみを入力することができる。
【０１１８】
また、仕分け条件として設定値「設定しない」が受け付けられ、且つ、実行条件「排出先」として四個の設定値「メールボックス１」、「メールボックス２」、「メールボックス３」、「メールボックス４」のうちの何れかが受け付けられた場合、条件受付部１１は、操作画面Ｗ３に、ソフトキーＳＫ３１ａ〜ＳＫ３１ｄを表示せず、ソフトキーＳＫ３２ａ〜ＳＫ３２ｆ、ソフトキーＳＫ３３ａ〜ＳＫ３３ｄ、及びソフトキーＳＫ３４ａ〜ＳＫ３４ｃ、入力表示欄Ａ３１、Ａ３２を領域ＤＡ３に表示する。
【０１１９】
つまり、この場合、ユーザーは、操作画面Ｗ３内の領域ＤＡ３に表示されたソフトキー群を上記と同様に用いて、実行条件「排出先」が示すメールボックス３０４に排出された用紙に対して行わせる用紙後処理の実行条件「ステープル」「パンチ」「後処理種別」を入力することができる。
【０１２０】
この場合、条件受付部１１により受け付けられた、用紙後処理の実行条件「ステープル」「パンチ」の何れかが、設定値「設定しない」とは異なる設定値であったとする。この場合、条件受付部１１は、実行条件「排出先」が示すメールボックス３０４を、後処理対象条件として受け付ける。
【０１２１】
また、実行条件「排出先」が「中トレイ」である場合、つまり、印刷済みの用紙を排出トレイ４８に排出する場合、条件受付部１１は、操作画面Ｗ１においてタブキーＴＫ２が選択されたとしても、操作画面Ｗ３を表示しない。
【０１２２】
以下、印刷ジョブ実行時の動作について説明する。当該説明の中で、警告報知部１３及び排紙情報記憶部１４の詳細について説明する。尚、以下では、具体例として、２０枚の原稿を５部コピーするコピージョブ実行時の動作について説明する。図６は、コピージョブ実行時の動作を示すフローチャートである。図７は、排紙情報記憶部１４に記憶される情報の一例を示す図である。図８は、メールボックス３０４に排出された用紙に対して行われる用紙後処理の動作を示すフローチャートである。
【０１２３】
図６に示すように、条件受付部１１は、ユーザーが、実行対象のジョブをコピージョブに切り替えるスイッチ７４を押下後、上記操作画面Ｗ１〜Ｗ３等のコピージョブに対応する操作画面を用いて入力したコピージョブの実行条件を受け付ける（Ｓ１）。
【０１２４】
そして、操作キー部７２に含まれるスタートキーが押下されると、ジョブ実行部１２は、ステップＳ１で受け付けられた実行条件を用いたコピージョブの実行を開始する（Ｓ２）。
【０１２５】
条件受付部１１が、ステップＳ１において、仕分け条件として「設定しない」を受け付け（Ｓ３；ＮＯ）、且つ、実行条件「排出先」として「左トレイ」又は「中トレイ」を受け付けた場合（Ｓ７；ＮＯ）、ジョブ実行部１２は、実行条件「排出先」が示す排出先に印刷済みの用紙を排出する（Ｓ８）。
【０１２６】
例えば、ステップＳ１において、仕分け条件として設定値「設定しない」が受け付けられ、且つ、実行条件「排出先」として設定値「左トレイ」が受け付けられ、且つ、ソート条件として設定値「設定する」が受け付けられたとする。つまり、ステップＳ２で開始したコピージョブが、印刷済みの用紙を一部ずつ、且つ、ページ順にスタックトレイ３０３に排出するコピージョブであるとする。また、ステープル条件又はパンチ条件として、設定値「設定しない」とは異なる設定値が受け付けられたとする。
【０１２７】
この場合、ジョブ実行部１２は、ステップＳ８において、後処理部３２に、中間トレイ３２１に搬送された用紙に対して、用紙後処理の実行条件「ステープル」「パンチ」「後処理種別」を用いて用紙後処理を行わせた後、スタックトレイ３０３に排出する。ステップＳ８は、周知の処理であるため、これ以上の詳細な説明は省略する。
【０１２８】
一方、条件受付部１１が、ステップＳ１において、仕分け条件として「一部毎仕分け」又は「ページ毎仕分け」を受け付けた場合（Ｓ３；ＹＥＳ）、ジョブ実行部１２は、メールボックス３０４のそれぞれに、一部ずつ、且つ、ページ順に印刷済みの用紙を排出する（Ｓ４）。
【０１２９】
また、条件受付部１１が、ステップＳ１において、仕分け条件として設定値「設定しない」が受け付けられ、且つ、実行条件「排出先」として四個の設定値「メールボックス１」、「メールボックス２」、「メールボックス３」、「メールボックス４」のうちの何れかが受け付けられた場合も（Ｓ３；ＮＯ、Ｓ７；ＹＥＳ）、ジョブ実行部１２は、ソート条件を無視して、メールボックス３０４のそれぞれに、一部ずつ、且つ、ページ順に印刷済みの用紙を排出する（Ｓ４）。
【０１３０】
そして、ジョブ実行部１２は、ステップＳ２で開始したコピージョブの実行によって、各メールボックス３０４に排出した印刷済み用紙の部数及び一部当たりの排出枚数と、各メールボックス３０４に排出した印刷済み用紙の総枚数と、を排紙情報記憶部１４に記憶する（Ｓ５）。
【０１３１】
例えば、仕分け条件として「一部毎仕分け」又は「ページ毎仕分け」が受け付けられた、２０枚の原稿を５部コピーするコピージョブの実行が開始されたとする。この場合、ジョブ実行部１２は、ステップＳ４において、４個のメールボックス３０４ａ〜３０４ｄに、それぞれ、一部の２０枚の印刷済み用紙をページ順に排出後、更に、メールボックス３０４ａに、一部の２０枚の印刷済み用紙をページ順に排出する。
【０１３２】
このため、ジョブ実行部１２は、ステップＳ５において、図７に示すように、メールボックス３０４ａを示す「メールボックス１」と対応付けて、メールボックス３０４ａに排出した印刷済み用紙の部数「２」及び一部当たりの排出枚数「２０」と、メールボックス３０４ａに排出した用紙の総枚数「４０」と、を排紙情報記憶部１４に記憶する。
【０１３３】
また、ジョブ実行部１２は、ステップＳ５において、メールボックス３０４ｂ、３０４ｃ、３０４ｄを示す「メールボックス２」、「メールボックス３」、「メールボックス４」と対応付けて、メールボックス３０４ｂ、３０４ｃ、３０４ｄに排出した印刷済み用紙の部数「１」及び一部当たりの排出枚数「２０」と、メールボックス３０４ｂ、３０４ｃ、３０４ｄに排出した用紙の総枚数「２０」と、を排紙情報記憶部１４に記憶する。
【０１３４】
そして、ステップＳ１において、後処理対象条件として受け付けられたメールボックス３０４が存在しない場合（Ｓ６；ＮＯ）、ジョブ実行部１２は、ステップＳ２において開始したコピージョブを終了する。
【０１３５】
一方、後処理対象条件として受け付けられたメールボックス３０４が少なくとも一つ存在する場合（Ｓ６；ＹＥＳ）、図８に示す動作を実行する。以下、後処理対象条件として受け付けられたメールボックス３０４を受付メールボックスと記載する。
【０１３６】
受付メールボックスが少なくとも一つ存在する場合（Ｓ６；ＹＥＳ）、ジョブ実行部１２は、各受付メールボックスに排出された用紙に対して行わせる用紙後処理の実行条件「後処理種別」に応じて、実行する処理を分岐する（Ｓ１０）。
【０１３７】
以下、受付メールボックスに排出された用紙に対して行わせる用紙後処理の実行条件「後処理種別」を、受付メールボックスに対応する後処理種別条件と記載する。同様に、受付メールボックスに排出された用紙に対して行わせる用紙後処理の実行条件「ステープル」を、受付メールボックスに対応するステープル条件と記載する。受付メールボックスに排出された用紙に対して行わせる用紙後処理の実行条件「パンチ」を、受付メールボックスに対応するパンチ条件と記載する。また、受付メールボックスに対応する後処理種別条件として設定値「詳細指定」が受け付けられた場合に、受け付けられた実行条件「給紙部数」を、受付メールボックスに対応する給紙部数と記載し、受け付けられた実行条件「一枚当たりの給紙枚数」を、受付メールボックスに対応する一枚当たりの給紙枚数と記載する。
【０１３８】
受付メールボックスに対応する後処理種別条件として設定値「一部毎」が受け付けられていたとする（Ｓ１０；一部毎）。この場合、警告報知部１３は、排紙情報記憶部１４に記憶されている当該受付メールボックスに対応する一部当たりの排紙枚数が、所定の上限枚数を超えているか否かを判定する（Ｓ２１）。上限枚数は、中間トレイ３２１に貯留可能な用紙枚数の上限値であり、予めＲＯＭ等に記憶されている。
【０１３９】
排紙情報記憶部１４に記憶されている受付メールボックスに対応する一部当たりの排紙枚数が、所定の上限枚数を超えている場合（Ｓ２１；ＹＥＳ）、警告報知部１３は、スピーカー７３に所定の警告音を出力させるとともに、表示部７１１に当該受付メールボックスに排紙された用紙に対して用紙後処理が行えない旨のメッセージを表示する（Ｓ１１）。これにより、警告報知部１３は、当該受付メールボックスに排紙された用紙に対して用紙後処理が行えない旨の警告を報知する。その後は、ステップＳ１２が行われる。
【０１４０】
排紙情報記憶部１４に記憶されている受付メールボックスに対応する一部当たりの排紙枚数が、所定の上限枚数を超えていない場合（Ｓ２１；ＮＯ）、ジョブ実行部１２は、排紙給紙部３３に、当該受付メールボックスに積載されている用紙のうち、当該一部当たりの排紙枚数の用紙を中間トレイ３２１へ給紙させる（Ｓ２２）。そして、ジョブ実行部１２は、後処理部３２に、ステップＳ２２で給紙された用紙に対して当該受付メールボックスに対応するステープル条件及びパンチ条件が示す用紙後処理を実行させる（Ｓ２３）。
【０１４１】
ジョブ実行部１２は、排紙情報記憶部１４に記憶されている当該受付メールボックスに対応する部数と同じ回数、ステップＳ２２及びステップＳ２３の実行を繰り返す（Ｓ２４）。尚、ジョブ実行部１２は、ステップＳ２３における用紙後処理が終了するまでの間、次のステップＳ２２の実行を待機させる。
【０１４２】
例えば、ステップＳ２１において、受付メールボックスが、「メールボックス１」が示すメールボックス３０４ａであるとする。また、上限枚数が「４０」であるとする。この場合、図７に示すように、排紙情報記憶部１４に記憶されている「メールボックス１」に対応する一部当たりの排紙枚数は、「２０」であり、上限枚数「４０」を超えていない。また、排紙情報記憶部１４に記憶されている「メールボックス１」に対応する部数は、「２」である。
【０１４３】
このため、ステップＳ２２において、ジョブ実行部１２は、排紙給紙部３３に、メールボックス３０４ａに積載されている用紙のうち、当該一部当たりの排紙枚数「２０」枚の用紙を中間トレイ３２１へ給紙させる。そして、ステップＳ２３において、ジョブ実行部１２は、後処理部３２に、ステップＳ２２で給紙された「２０」枚の用紙に対して、メールボックス３０４ａに対応するステープル条件及びパンチ条件が示す用紙後処理を実行させる。そして、ジョブ実行部１２は、ステップＳ２３における用紙後処理まで、次のステップＳ２２の実行を待機する。このようにして、ジョブ実行部１２は、排紙情報記憶部１４に記憶されている当該受付メールボックスに対応する部数「２」と同じ二回、ステップＳ２２及びステップＳ２３の実行を繰り返す。
【０１４４】
一方、ステップＳ１０において、受付メールボックスに対応する後処理種別条件として設定値「一括」が受け付けられたとする（Ｓ１０；一括）。この場合、警告報知部１３は、排紙情報記憶部１４に記憶されている当該受付メールボックスに対応する総枚数が、所定の上限枚数を超えているか否かを判定する（Ｓ３１）。
【０１４５】
排紙情報記憶部１４に記憶されている受付メールボックスに対応する総枚数が、所定の上限枚数を超えている場合（Ｓ３１；ＹＥＳ）、警告報知部１３は、スピーカー７３に所定の警告音を出力させるとともに、表示部７１１に当該受付メールボックスに排紙された用紙に対して用紙後処理が行えない旨のメッセージを表示する（Ｓ１１）。その後、ステップＳ１２が行われる。
【０１４６】
排紙情報記憶部１４に記憶されている受付メールボックスに対応する総枚数が、所定の上限枚数を超えていない場合（Ｓ３１；ＮＯ）、ジョブ実行部１２は、排紙給紙部３３に、当該受付メールボックスに積載されている用紙のうち、当該総枚数の用紙を中間トレイ３２１へ給紙させる（Ｓ３２）。そして、ジョブ実行部１２は、後処理部３２に、ステップＳ３２で給紙された用紙に対して当該受付メールボックスに対応するステープル条件及びパンチ条件が示す用紙後処理を実行させる（Ｓ３３）。
【０１４７】
例えば、ステップＳ３１において、受付メールボックスが、「メールボックス２」が示すメールボックス３０４ｂであるとする。また、上限枚数が「４０」であるとする。この場合、図７に示すように、排紙情報記憶部１４に記憶されている「メールボックス２」に対応する総枚数は、「２０」であり、上限枚数「４０」を超えていない。
【０１４８】
このため、ステップＳ３２において、ジョブ実行部１２は、排紙給紙部３３に、メールボックス３０４ｂに積載されている用紙のうち、当該総枚数「２０」枚の用紙を中間トレイ３２１へ給紙させる。そして、ステップＳ３３において、ジョブ実行部１２は、後処理部３２に、ステップＳ３２で給紙された「２０」枚の用紙に対して、メールボックス３０４ｂに対応するステープル条件及びパンチ条件が示す用紙後処理を実行させる。
【０１４９】
または、ステップＳ１０において、受付メールボックスに対応する後処理種別条件として設定値「詳細指定」が受け付けられたとする（Ｓ１０；詳細指定）。この場合、警告報知部１３は、受付メールボックスに対応する一枚当たりの給紙枚数が、所定の上限枚数を超えているか否かを判定する（Ｓ４１）。
【０１５０】
受付メールボックスに対応する一枚当たりの給紙枚数が、所定の上限枚数を超えている場合（Ｓ４１；ＹＥＳ）、警告報知部１３は、スピーカー７３に所定の警告音を出力させるとともに、表示部７１１に当該受付メールボックスに排紙された用紙に対して用紙後処理が行えない旨のメッセージを表示する（Ｓ１１）。その後、ステップＳ１２が行われる。
【０１５１】
受付メールボックスに対応する一枚当たりの給紙枚数が、所定の上限枚数を超えていない場合（Ｓ４１；ＮＯ）、ジョブ実行部１２は、排紙給紙部３３に、当該受付メールボックスに積載されている用紙のうち、当該一部当たりの給紙枚数の用紙を中間トレイ３２１へ給紙させる（Ｓ４２）。そして、ジョブ実行部１２は、後処理部３２に、ステップＳ４２で給紙された用紙に対して当該受付メールボックスに対応するステープル条件及びパンチ条件が示す用紙後処理を実行させる（Ｓ４３）。
【０１５２】
ジョブ実行部１２は、受付メールボックスに対応する給紙部数と同じ回数、ステップＳ４２及びステップＳ４３の実行を繰り返す（Ｓ４４）。尚、ジョブ実行部１２は、ステップＳ４３における用紙後処理が終了するまでの間、次のステップＳ４２の実行を待機させる。
【０１５３】
例えば、ステップＳ４１において、受付メールボックスが、「メールボックス１」が示すメールボックス３０４ａであるとする。また、上限枚数が「４０」であるとする。また、ステップＳ１において、「メールボックス１」に対応する一部当たりの給紙枚数として設定値「２０」が受け付けられていたとする。また、ステップＳ１において、「メールボックス１」に対応する給紙部数として設定値「２」が受け付けられていたとする。
【０１５４】
この場合、「メールボックス１」に対応する一部当たりの給紙枚数は、上限枚数「４０」を超えていない。このため、ステップＳ４２において、ジョブ実行部１２は、排紙給紙部３３に、メールボックス３０４ａに積載されている用紙のうち、当該一部当たりの給紙枚数「２０」枚の用紙を中間トレイ３２１へ給紙させる。そして、ステップＳ４３において、ジョブ実行部１２は、後処理部３２に、ステップＳ４２で給紙された「２０」枚の用紙に対して、メールボックス３０４ａに対応するステープル条件及びパンチ条件が示す用紙後処理を実行させる。そして、ジョブ実行部１２は、ステップＳ４３における用紙後処理まで、次のステップＳ４２の実行を待機する。このようにして、ジョブ実行部１２は、当該受付メールボックスに対応する給紙部数「２」と同じ二回、ステップＳ４２及びステップＳ４３の実行を繰り返す。
【０１５５】
ジョブ実行部１２は、全ての受付メールボックスのそれぞれに排出された用紙に対して用紙後処理を終了するまで、ステップＳ１０以降の処理を繰り返す（Ｓ１２）。
【０１５６】
次に後処理ジョブ実行時の動作について説明する。尚、以下では、具体例として、当該後処理ジョブ実行時の直近に実行されたコピージョブが、２０枚の原稿を５部コピーし、印刷済みの用紙を４個のメールボックス３０４ａ〜３０４ｄのそれぞれに仕分けして排出後、当該４個のメールボックス３０４ａ〜３０４ｄに排出された用紙に対して何ら用紙後処理を行わないコピージョブであるとする。つまり、排紙情報記憶部１４には、当該コピージョブの実行により、図７に示す情報が記憶されているものとする。図９は、後処理ジョブの実行時の動作を示すフローチャートである。
【０１５７】
図９に示すように、ユーザーが、実行対象のジョブを後処理ジョブに切り替えるスイッチ７４を押下した場合（Ｓ５１；ＹＥＳ）、条件受付部１１は、図５に示すように、仕分け条件として設定値「ページ毎仕分け」又は「一部毎仕分け」が受け付けられた場合と同様の操作画面Ｗ３を表示部７１１に表示する。
【０１５８】
つまり、ユーザーは、当該操作画面Ｗ３を用いて、直近の印刷ジョブの実行によって、四個のソフトキーＳＫ３１ａ〜ＳＫ３１ｄのうち、選択したソフトキーに対応するメールボックス３０４に排出された用紙に対して行わせる用紙後処理の実行条件「ステープル」「パンチ」「後処理種別」を入力することができる。
【０１５９】
また、ユーザーは、４個のメールボックス３０４ａ〜３０４ｄの何れかに、直近の印刷ジョブによって排出された用紙とは別の用紙を載置し、当該操作画面Ｗ３を用いて、四個のソフトキーＳＫ３１ａ〜ＳＫ３１ｄのうち、選択したソフトキーに対応するメールボックス３０４に載置した上記別の用紙に対して行わせる用紙後処理の実行条件「ステープル」「パンチ」「後処理種別」を入力することができる。ただし、この場合、ユーザーは、上記別の用紙に対して適切に用紙後処理を実行させるために、用紙後処理の実行条件「後処理種別」として設定値「詳細指定」を選択して、上記別の用紙の給紙部数と一部当たりの給紙枚数とを入力表示欄Ａ３１，Ａ３２に適切に入力する必要がある。
【０１６０】
ユーザーが当該操作画面Ｗ３を用いて後処理条件の入力を行ったことにより、条件受付部１１が後処理条件を受け付けた後（Ｓ５２）、操作キー部７２に含まれるスタートキーが押下されると、ジョブ実行部１２は、ステップＳ５２で受け付けられた後処理条件が示す後処理ジョブの実行を開始する（Ｓ５３）。その後は、上述した図８に示す動作が行われる。
【０１６１】
このように、上記実施形態の構成によれば、排紙給紙部３３によって、四個のメールボックス３０４ａ〜３０４ｄのそれぞれに積載されている印刷済みの用紙を後処理部３２へ給紙させ、後処理部３２によって、当該給紙された用紙に対して所定の用紙後処理を行わせることができる。これにより、四個のメールボックス３０４ａ〜３０４ｄのそれぞれに積載されている印刷済みの用紙を順次取り出して、当該取り出した用紙に対して用紙後処理を手動で行う手間をユーザーにかけることなく、四個のメールボックス３０４ａ〜３０４ｄのそれぞれに積載されている印刷済みの用紙に対して用紙後処理を容易に行うことができる。
【０１６２】
また、ユーザーは、操作画面Ｗ３を用いて、四個のソフトキーＳＫ３１ａ〜ＳＫ３１ｄのうち、用紙後処理を行いたい用紙が積載されているメールボックス３０４に対応するソフトキーを選択後、ステープル条件又はパンチ条件の設定値として、設定値「設定しない」とは異なる設定値を選択するという簡易な操作を行うだけで、当該選択されたメールボックス３０４に積載されている用紙を後処理部３２へ給紙させ、当該用紙に対して用紙後処理を行わせることができる。
【０１６３】
また、ユーザーは、印刷ジョブの実行後、次の印刷ジョブが実行されるまでの間に、実行した印刷ジョブによって排出された用紙に用紙後処理を行いたい場合がある。この場合、上記実施形態の構成によれば、ユーザーは、操作画面Ｗ３を用いて、四個のソフトキーＳＫ３１ａ〜ＳＫ３１ｄのうち、当該排出された用紙が積載されているメールボックス３０４に対応するソフトキーを選択後、ステープル条件又はパンチ条件の設定値として、設定値「設定しない」とは異なる設定値を選択し、後処理種別条件の設定値として、設定値「一括」を選択するという簡易な操作を行うだけで、当該印刷ジョブによって当該選択されたメールボックス３０４に排出された全ての用紙を後処理部３２に給紙させ、当該全ての用紙に対して用紙後処理を実行させることができる。
【０１６４】
また、ユーザーは、印刷ジョブの実行後、次の印刷ジョブが実行されるまでの間に、実行した印刷ジョブによって排出された用紙に対して、一部の用紙毎に用紙後処理を行いたい場合がある。この場合、上記実施形態の構成によれば、ユーザーは、操作画面Ｗ３を用いて、四個のソフトキーＳＫ３１ａ〜ＳＫ３１ｄのうち、当該排出された用紙が積載されているメールボックス３０４に対応するソフトキーを選択後、ステープル条件又はパンチ条件の設定値として、設定値「設定しない」とは異なる設定値を選択し、後処理種別条件の設定値として、設定値「一部毎」を選択するという簡易な操作を行うだけで、当該印刷ジョブによって当該選択されたメールボックス３０４に排出された用紙を一部ずつ後処理部３２に給紙させ、当該一部の用紙毎に用紙後処理を実行させることを、当該排出された用紙の部数と同じ回数繰り返させることができる。
【０１６５】
これにより、ユーザーは、直近の印刷ジョブによって上記選択したメールボックス３０４に排出された用紙に対して、一部の用紙毎に用紙後処理が行われた用紙束を、当該印刷ジョブによって上記選択したメールボックス３０４に排出された用紙と同じ部数得ることができる。
【０１６６】
また、ユーザーは、任意の時期に、所持している用紙束に対して一部の用紙毎に用紙後処理を行いたい場合がある。この場合、上記実施形態の構成によれば、ユーザーは、上記所持している用紙束をメールボックス３０４に積載後、実行対象のジョブを後処理ジョブに切り替えるスイッチ７４を押下して操作画面Ｗ３を表示させる。そして、当該操作画面Ｗ３を用いて、四個のソフトキーＳＫ３１ａ〜ＳＫ３１ｄのうち、当該メールボックス３０４に対応するソフトキーを選択後、ステープル条件又はパンチ条件の設定値として、設定値「設定しない」とは異なる設定値を選択し、後処理種別条件の設定値として、設定値「詳細指定」を選択し、当該メールボックス３０４に対応する用紙の給紙部数及び一部当たりの給紙枚数を入力するという簡易な操作を行うだけでよい。
【０１６７】
これにより、当該メールボックス３０４に積載した用紙を、上記入力した一部当たりの給紙枚数ずつ後処理部３２に給紙させ、当該一部当たりの給紙枚数の用紙毎に、つまり、一部の用紙毎に用紙後処理を実行させることを、上記入力した給紙部数と同じ回数行わせることができる。
【０１６８】
その結果、ユーザーは、任意の時期に、上記選択したメールボックス３０４に積載した用紙に対して、一部の用紙毎に用紙後処理が行われた用紙束を、上記入力した給紙部数と同じ部数得ることができる。
【０１６９】
また、上記実施形態の構成によれば、ユーザーは、受付メールボックス毎に、各受付メールボックスに積載された用紙に対して行わせる用紙後処理を意図に応じて適宜入力することができる。
【０１７０】
また、上記実施形態の構成によれば、ユーザーは、報知された警告に気づくことにより、上限枚数よりも多くの用紙に対して用紙後処理を行おうとしていることに気づき易くなる。
【０１７１】
また、上記実施形態の構成によれば、四個のメールボックス３０４の何れかに用紙を排出する印刷ジョブの実行によって、各メールボックス３０４には用紙が一部ずつ且つページ順に排出される。このため、排紙給紙部３３によって、メールボックス３０４に積載されている用紙を、一部ずつ、且つ、ページ順に後処理部３２に給紙することが容易となる。これにより、メールボックス３０４に積載されている用紙に対して、後処理部３２に一部の用紙毎に用紙後処理を行わせることが容易となる。
【０１７２】
尚、上記実施形態は、本発明に係る実施形態の例示に過ぎず、本発明を上記実施形態に限定する趣旨ではない。例えば、以下に示す、変形実施形態であってもよい。
【０１７３】
（１）ジョブ実行部１２は、仕分け条件として設定値「設定しない」が受け付けられ（Ｓ３；ＮＯ）、且つ、実行条件「排出先」として四個の設定値「メールボックス１」、「メールボックス２」、「メールボックス３」、「メールボックス４」のうちの何れかが受け付けられた場合（Ｓ７；ＹＥＳ）、ステップＳ４において、ソート条件を無視して、印刷済み用紙を一部ずつ且つページ順に排出することに代えて、ソート条件に従って用紙を排出するようにしてもよい。
【０１７４】
これに合わせて、条件受付部１１は、ソート条件として設定値「設定しない」を受け付け、且つ、仕分け条件として設定値「設定しない」を受け付け、且つ、実行条件「排出先」として四個の設定値「メールボックス１」、「メールボックス２」、「メールボックス３」、「メールボックス４」のうちの何れかを受け付けたときは、操作画面Ｗ３に、ソフトキーＳＫ３４ａ〜ＳＫ３４ｃ及び入力表示欄Ａ３１、Ａ３２を領域ＤＡ３に表示しないようにしてもよい。
【０１７５】
そして、当該操作画面Ｗ３を用いて、条件受付部１１により受け付けられた、用紙後処理の実行条件「ステープル」「パンチ」の何れかが、設定値「設定しない」とは異なる設定値であったとする。この場合、条件受付部１１は、実行条件「排出先」が示すメールボックス３０４を、後処理対象条件として受け付けるようにしてもよい。そして、ステップＳ１０、Ｓ２１〜Ｓ２４、Ｓ４１〜Ｓ４４を省略し、ステップＳ５において、ジョブ実行部１２が、排紙情報記憶部１４に、各メールボックス３０４に排出した印刷済み用紙の部数及び一部当たりの排出枚数を記憶しないようにしてもよい。つまり、後処理部３２が、後処理種別条件として設定値「一括」を受け付けた場合と同様の用紙後処理のみを実行可能にしてもよい。
【０１７６】
（２）制御部１０が警告報知部１３として動作しないようにして、ステップＳ２１、Ｓ３１、Ｓ４１、Ｓ１１（図８）を省略してもよい。ただし、この場合、中間トレイ３２１に上限枚数以上の用紙が給紙され、紙詰まり等の異常が生じる虞がある。
【０１７７】
（３）後処理部３２は、用紙における予め定められた一か所にだけ、綴じ孔を穿孔するパンチ処理と、用紙における予め定められた一か所にだけ、ステープル針を打ち込むステープル処理と、を実行可能であってもよい。また、後処理部３２は、当該パンチ処理及び当該ステープル処理のうち、何れか一方のみを実行可能であってもよい。
【０１７８】
これに合わせて、操作画面Ｗ３に、ステープル条件の５個の設定値をそれぞれ示す５個のソフトキーＳＫ３２ｂ〜ＳＫ３２ｆに代えて、ステープル条件の設定値「設定する」を示す一個のソフトキーのみを設けるようにしてもよい。また、操作画面Ｗ３に、パンチ条件の三個の設定値をそれぞれ示す三個のソフトキーＳＫ３３ｂ〜ＳＫ３３ｄに代えて、パンチ条件の設定値「設定する」を示すソフトキーのみを設けるようにしてもよい。つまり、ユーザーが、後処理部３２へ給紙された用紙に対して、所定の用紙後処理を行うか否かのみを選択できるようにしてもよい。
【０１７９】
（４）操作画面Ｗ３に、ソフトキーＳＫ３４ｃ及び入力表示欄Ａ３１、Ａ３２を設けないようにして、ステップＳ４１〜Ｓ４４を省略してもよい。つまり、条件受付部１１が、後処理種別条件として、設定値「詳細指定」を受け付けないようにしてもよい。
【０１８０】
（５）操作画面Ｗ３に、ソフトキーＳＫ３４ａを設けないようにして、ステップＳ２１〜Ｓ２４を省略してもよい。これに合わせて、ステップＳ５において、ジョブ実行部１４が、排紙情報記憶部１４に、各メールボックス３０４に排出した印刷済み用紙の部数及び一部当たりの排出枚数を記憶しないようにしてもよい。つまり、条件受付部１１が、後処理種別条件として、設定値「一部毎」を受け付けないようにしてもよい。
【０１８１】
（６）操作画面Ｗ３に、ソフトキーＳＫ３４ｂを設けないようにして、ステップＳ３１〜Ｓ３３を省略してもよい。これに合わせて、ステップＳ５において、ジョブ実行部１２が、排紙情報記憶部１４に、各メールボックス３０４に排出した印刷済み用紙の総枚数を記憶しないようにしてもよい。つまり、条件受付部１１が、後処理種別条件として、設定値「一括」を受け付けないようにしてもよい。
【０１８２】
（７）操作画面Ｗ３に、ソフトキーＳＫ３４ａ〜ＳＫ３４ｃ、及び入力表示欄Ａ３１、Ａ３２を設けないようにして、ステップＳ１０、Ｓ２１〜Ｓ２４、Ｓ４１〜Ｓ４４を省略してもよい。これに合わせて、ステップＳ５において、ジョブ実行部１２が、排紙情報記憶部１４に、各メールボックス３０４に排出した印刷済み用紙の部数及び一部当たりの排出枚数を記憶しないようにしてもよい。つまり、後処理部３２が、後処理種別条件として設定値「一括」を受け付けた場合と同様の用紙後処理のみを実行可能にしてもよい。
【０１８３】
（８）操作画面Ｗ３に、ソフトキーＳＫ３４ａ〜ＳＫ３４ｃ及び入力表示欄Ａ３１、Ａ３２を設けないようにして、ステップＳ１０、Ｓ３１〜Ｓ３３、Ｓ４１〜Ｓ４４を省略してもよい。これに合わせて、ステップＳ５において、ジョブ実行部１２が、排紙情報記憶部１４に、各メールボックス３０４に排出した印刷済み用紙の総枚数を記憶しないようにしてもよい。つまり、後処理部３２が、後処理種別条件として設定値「一部毎」を受け付けた場合と同様の用紙後処理のみを実行可能にしてもよい。
【０１８４】
（９）後処理装置３が備えるメールボックス３０４の個数は、四個に限らず、一以上の個数であればよい。
【０１８５】
特に、後処理装置３が備えるメールボックス３０４の個数が一個である場合、操作画面Ｗ２に、仕分け条件を入力するためのソフトキーＳＫ２３〜ＳＫ２６を表示しないようにしてもよい。つまり、条件受付部１１が、仕分け条件を受け付けないようにしてもよい。
【０１８６】
また、条件受付部１１は、実行条件「排出先」として当該一個のメールボックス３０４を受け付けたときは、操作画面Ｗ３に、当該一個のメールボックス３０４を選択するためのソフトキーを表示しないようにしてもよい。そして、当該操作画面Ｗ３を用いて、条件受付部１１により受け付けられた、用紙後処理の実行条件「ステープル」「パンチ」の何れかが、設定値「設定しない」とは異なる設定値であったとする。この場合、条件受付部１１は、実行条件「排出先」が示す当該一個のメールボックス３０４を、後処理対象条件として受け付けるようにしてもよい。
【符号の説明】
【０１８７】
１  複合機（画像形成装置）
３  後処理装置
１１  条件受付部（選択受付部、給紙条件受付部、後処理受付部）
１２  ジョブ実行部
１３  警告報知部
１４  排紙情報記憶部（第一記憶部、第二記憶部）
３２  後処理部
３３  排紙給紙部（給紙部）
３０４、３０４ａ〜３０４ｄ  メールボックス
【図１】
0006295948.tif 000002
【図２】
0006295948.tif 000003
【図３】
0006295948.tif 000004
【図４】
0006295948.tif 000005
【図５】
0006295948.tif 000006
【図６】
0006295948.tif 000007
【図７】
0006295948.tif 000008
【図８】
0006295948.tif 000009
【図９】
0006295948.tif 000010